(57)【要約】  本発明の実施例は、情報指示方法、端末及びコンピューター記憶媒体を開示する。前記方法は、端末がＳＤＡＰデータを受信し、前記ＳＤＡＰデータのヘッダー内の反射サービス品質インジケータ（ＲＱＩ）情報に基づいて、更新される必要があるマッピング関係を確定することを含み、前記マッピング関係は、第１のマッピング関係及び／又は第２のマッピング関係を含み、前記第１のマッピング関係は、第１の反射サービス品質機能に対応するインターネットプロトコル（ＩＰ）ストリームとサービス品質（ＱｏＳ）ストリームとのマッピング関係を示し、前記第２のマッピング関係は、第２の反射サービス品質機能に対応するＱｏＳストリームとデータリソースベアラ（ＤＲＢ）とのマッピング関係を示す。
2021500761.tif 000002
【特許請求の範囲】
【請求項１】
端末がサービスデータ適合プロトコルＳＤＡＰデータを受信し、前記ＳＤＡＰデータのヘッダー内の反射サービス品質インジケータＲＱＩ情報に基づいて、更新される必要があるマッピング関係を確定することを含み、
前記マッピング関係は、第１のマッピング関係及び／又は第２のマッピング関係を含み、前記第１のマッピング関係は、第１の反射サービス品質機能に対応するインターネットプロトコルＩＰストリームとサービス品質ＱｏＳストリームとのマッピング関係を示し、前記第２のマッピング関係は、第２の反射サービス品質機能に対応するＱｏＳストリームとデータリソースベアラＤＲＢとのマッピング関係を示す
ことを特徴とする情報指示方法。
【請求項２】
前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第１の反射サービス品質機能と前記第２の反射サービス品質機能がともにアクティブ状態にあることを示す場合、前記端末が前記第１のマッピング関係と前記第２のマッピング関係の更新が必要であると確定することを含む
ことを特徴とする請求項１に記載の情報指示方法。
【請求項３】
前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第１の反射サービス品質機能がアクティブ状態にあることを示す場合、前記端末が前記第１のマッピング関係の更新が必要であると確定することを含む
ことを特徴とする請求項１に記載の情報指示方法。
【請求項４】
前記方法は、さらに、前記端末が受信した第１のシグナリングに基づいて、前記第２の反射サービス品質機能の更新が必要であると確定することを含む
ことを特徴とする請求項３に記載の情報指示方法。
【請求項５】
前記第１のシグナリングは、無線リソース制御ＲＲＣシグナリングである
ことを特徴とする請求項３に記載の情報指示方法。
【請求項６】
前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第２の反射サービス品質機能がアクティブ状態にあることを示す場合、前記端末が前記第２のマッピング関係の更新が必要であると確定することを含む
ことを特徴とする請求項１に記載の情報指示方法。
【請求項７】
前記方法は、さらに、
前記端末が受信したＲＱＩ情報に基づいて、タイマーを起動することを含む
ことを特徴とする請求項６に記載の情報指示方法。
【請求項８】
前記ＳＤＡＰデータのヘッダー内のＲＱＩ情報に基づいて、更新される必要があるマッピング関係を確定することは、
前記端末が、前記ＲＱＩが含まれるＳＤＡＰデータを受信した場合、前記タイマーが動作状態にあるかどうかに基づいて、前記第２のマッピング関係の更新が必要であるかどうかを確定することを含む
ことを特徴とする請求項７に記載の情報指示方法。
【請求項９】
前記タイマーが動作状態にあるかどうかに基づいて、前記第２のマッピング関係の更新が必要であるかどうかを確定することは、
前記タイマーが動作状態にある場合、前記端末が前記第２のマッピング関係の更新が必要でないと確定することを含む
ことを特徴とする請求項８に記載の情報指示方法。
【請求項１０】
前記タイマーが動作状態にあるかどうかに基づいて、前記第２のマッピング関係の更新が必要であるかどうかを確定することは、
前記タイマーがタイムアウトした場合、前記端末が前記第２のマッピング関係の更新が必要であると確定することを含む
ことを特徴とする請求項８に記載の情報指示方法。
【請求項１１】
前記方法は、さらに、
前記タイマーがタイムアウトした後、前記端末が前記第２のマッピング関係を削除することを含む
ことを特徴とする請求項１０に記載の情報指示方法。
【請求項１２】
受信ユニットと確定ユニットを含む端末であって、
前記受信ユニットは、ＳＤＡＰデータを受信するように構成され、
前記確定ユニットは、前記受信ユニットにより受信された前記ＳＤＡＰデータのヘッダー内の反射サービス品質インジケータＲＱＩ情報に基づいて、更新される必要があるマッピング関係を確定するように構成され、
前記マッピング関係は、第１のマッピング関係及び／又は第２のマッピング関係を含み、前記第１のマッピング関係は、第１の反射サービス品質機能に対応するＩＰストリームとサービス品質ＱｏＳストリームとのマッピング関係を示し、前記第２のマッピング関係は、第２の反射サービス品質機能に対応するＱｏＳストリームとデータリソースベアラＤＲＢとのマッピング関係を示す
ことを特徴とする端末。
【請求項１３】
前記確定ユニットは、前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確定するように構成される
ことを特徴とする請求項１２に記載の端末。
【請求項１４】
前記確定ユニットは、前記ＳＤＡＰデータのヘッダー内のＲＱＩ情報が、前記第１の反射サービス品質機能がアクティブ状態にあることを示す場合、前記第１のマッピング関係の更新が必要であると確定するように構成される
ことを特徴とする請求項１２に記載の端末。
【請求項１５】
前記受信ユニットは、さらに、第１のシグナリングを受信するように構成され、
前記確定ユニットは、さらに、前記受信ユニットにより受信された前記第１のシグナリングに基づいて、前記第２の反射サービス品質機能の更新が必要であると確定するように構成される
ことを特徴とする請求項１４に記載の端末。
【請求項１６】
前記第１のシグナリングは、無線リソース制御ＲＲＣシグナリングである
ことを特徴とする請求項１５に記載の端末。
【請求項１７】
前記確定ユニットは、前記ＳＤＡＰデータのヘッダー内のＲＱＩ情報が、前記第２の反射サービス品質機能がアクティブ状態にあることを示す場合、前記第２のマッピング関係の更新が必要であると確定するように構成される
ことを特徴とする請求項１２に記載の端末。
【請求項１８】
前記端末は、さらに、起動ユニットを含み、
前記受信ユニットは、さらに、ＲＱＩ情報を受信するように構成され、
前記起動ユニットは、前記受信ユニットにより受信された前記ＲＱＩ情報に基づいて、タイマーを起動するように構成される
ことを特徴とする請求項１７に記載の端末。
【請求項１９】
前記確定ユニットは、前記受信ユニットが前記ＲＱＩが含まれるＳＤＡＰデータを受信した場合、前記タイマーが動作状態にあるかどうかに基づいて、前記第２のマッピング関係の更新が必要であるかどうかを確定するように構成される
ことを特徴とする請求項１８に記載の端末。
【請求項２０】
前記確定ユニットは、前記タイマーが動作状態にある場合、前記第２のマッピング関係の更新が必要でないと確定するように構成される
ことを特徴とする請求項１９に記載の端末。
【請求項２１】
前記確定ユニットは、前記タイマーがタイムアウトした場合、前記第２のマッピング関係の更新が必要であると確定するように構成される
ことを特徴とする請求項１９に記載の端末。
【請求項２２】
前記タイマーがタイムアウトした後、前記第２のマッピング関係を削除するように構成される更新ユニットをさらに含む
ことを特徴とする請求項２１に記載の端末。
【請求項２３】
セッサによって実行されるとき、請求項１から１１のいずれか１項に記載の情報指示方法のステップを実行するコンピュータ命令を記憶するコンピュータ記憶媒体。
【請求項２４】
データを伝送するための通信モジュールと、メモリと、プロセッサと、前記メモリに格納され、前記プロセッサ上で動作するコンピュータプログラムとを備える端末であって、
前記プロセッサが前記プログラムを実行することにより、請求項１〜１１のいずれか１項に記載の情報指示方法の各ステップが実現される端末。
【発明の詳細な説明】
【技術分野】
【０００１】
本発明は、無線通信技術に関し、具体的に、情報指示方法、端末及びコンピューター記憶媒体に関する。
【背景技術】
【０００２】
３ＧＰＰ ＲＡＮ２＃９９会議で、反射サービス品質インジケータ( ＲＱＩ，Ｒｅｆｌｅｃｔｉｖｅ ＱｏＳ Ｉｎｄｉｃａｔｅ )情報が、非アクセス層( ＮＡＳ )およびアクセス層(ＡＳ)の反射ＱｏＳ(Ｒｅｆｌｅｃｔｉｖｅ ＱｏＳ)機能のアクティブおよび非アクティブを同時に示し、すなわちＲＱＩがＮＡＳ Ｒｅｆｌｅｃｔｉｖｅ ＱｏＳ機能およびＡＳ Ｒｅｆｌｅｃｔｉｖｅ ＱｏＳ機能がアクティブ状態であることを示す場合、端末はＮＡＳ Ｒｅｆｌｅｃｔｉｖｅ ＱｏＳのマッピング規則およびＡＳ Ｒｅｆｌｅｃｔｉｖｅ ＱｏＳのマッピング規則が変化したか否かをそれぞれ検出する必要がある。
【０００３】
しかしながら、ＮＡＳ Ｒｅｆｌｅｃｔｉｖｅ ＱｏＳ機能とＡＳ Ｒｅｆｌｅｃｔｉｖｅ ＱｏＳ機能は、互いに独立しており、ＮＡＳ Ｒｅｆｌｅｃｔｉｖｅ ＱｏＳ機能とＡＳ Ｒｅｆｌｅｃｔｉｖｅ ＱｏＳ機能の一方がアクティブ状態で、他方が非アクティブ状態である可能性がある。したがって、ＲＱＩに基づいて、その機能に対応するマッピング規則が更新される必要があるかを確定する方法は、現在の技術では有効な解決策がない。
【発明の概要】
【０００４】
既存の技術的問題を解決するために、本発明の実施例は、情報指示方法、端末、およびコンピュータ記憶媒体を提供する。
【０００５】
本発明の実施例は、情報指示方法を提供し、前記方法は、
端末がサービスデータ適合プロトコル（ＳＤＡＰ、Ｓｅｒｖｉｃｅ Ｄａｔａ Ａｄａｐｔａｔｉｏｎ Ｐｒｏｔｏｃｏｌ）データを受信し、前記ＳＤＡＰデータのヘッダー内のＲＱＩ情報に基づいて、更新される必要があるマッピング関係を確定することを含み、前記マッピング関係は、第１のマッピング関係及び／又は第２のマッピング関係を含み、
前記第１のマッピング関係は、第１の反射サービス品質機能に対応するインターネットプロトコル（ＩＰ、Ｉｎｔｅｒｎｅｔ Ｐｒｏｔｏｃｏｌ）ストリームとサービス品質（ＱｏＳ、Ｑｕａｌｉｔｙ ｏｆ Ｓｅｒｖｉｃｅ）ストリームとのマッピング関係を示し、前記第２のマッピング関係は、第２の反射サービス品質機能に対応するＱｏＳストリームとデータリソースベアラ（ＤＲＢ、Ｄａｔａ Ｒｅｓｏｕｒｃｅ Ｂｅａｒｅｒ）とのマッピング関係を示す。
【０００６】
上記の技術案において、前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第１の反射サービス品質機能と前記第２の反射サービス品質機能がともにアクティブ状態にあることを示す場合、前記端末が前記第１のマッピング関係と前記第２のマッピング関係の更新が必要であると確定することを含む。
【０００７】
上記の技術案において、前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第１の反射サービス品質機能がアクティブ状態にあることを示す場合、前記端末が前記第１のマッピング関係の更新が必要であると確定することを含む。
【０００８】
上記の技術案において、前記方法は、さらに、前記端末が受信した第１のシグナリングに基づいて、前記第２の反射サービス品質機能の更新が必要であると確定することを含む。
【０００９】
上記の技術案において、前記第１のシグナリングは、無線リソース制御（ＲＲＣ、Ｒａｄｉｏ Ｒｅｓｏｕｒｃｅ Ｃｏｎｔｒｏｌ）シグナリングである。
【００１０】
上記の技術案において、前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第２の反射サービス品質機能がアクティブ状態にあることを示す場合、前記端末が前記第２のマッピング関係の更新が必要であると確定することを含む。
【００１１】
上記の技術案において、前記方法は、さらに、
前記端末が受信したＲＱＩ情報に基づいて、タイマーを起動することを含む。
【００１２】
上記の技術案において、前記ＳＤＡＰデータのヘッダー内のＲＱＩ情報に基づいて、更新される必要があるマッピング関係を確定することは、
前記端末が、前記ＲＱＩが含まれるＳＤＡＰデータを受信した場合、前記タイマーが動作状態にあるかどうかに基づいて、前記第２のマッピング関係の更新が必要であるかどうかを確定することを含む。
【００１３】
上記の技術案において、前記タイマーが動作状態にあるかどうかに基づいて、前記第２のマッピング関係の更新が必要であるかどうかを確定することは、
前記タイマーが動作状態にある場合、前記端末が前記第２のマッピング関係の更新が必要でないと確定することを含む。
【００１４】
上記の技術案において、前記タイマーが動作状態にあるかどうかに基づいて、前記第２のマッピング関係の更新が必要であるかどうかを確定することは、
前記タイマーがタイムアウトした場合、前記端末が前記第２のマッピング関係の更新が必要であると確定することを含む。
【００１５】
上記の技術案において、前記方法は、さらに、
前記タイマーがタイムアウトした後、前記端末が前記第２のマッピング関係を削除することを含む。
【００１６】
本発明の実施例は、また、端末を提供し、前記端末は、受信ユニット及び確定ユニットを含み、ここで、
前記受信ユニットは、ＳＤＡＰデータを受信するように構成され、
前記確定ユニットは、前記受信ユニットにより受信された前記ＳＤＡＰデータのヘッダー内のＲＱＩ情報に基づいて、更新される必要があるマッピング関係を確定するように構成され、前記マッピング関係は、第１のマッピング関係及び／又は第２のマッピング関係を含み、前記第１のマッピング関係は、第１の反射サービス品質機能に対応するＩＰストリームとＱｏＳストリームのマッピング関係を示し、前記第２のマッピング関係は、第２の反射サービス品質機能に対応するＱｏＳストリームとＤＲＢとのマッピング関係を示す。
【００１７】
上記の技術案において、前記確定ユニットは、前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確定するように構成される。
【００１８】
上記の技術案において、前記確定ユニットは、前記ＳＤＡＰデータのヘッダー内のＲＱＩ情報が、前記第１の反射サービス品質機能がアクティブ状態にあることを示す場合、前記第１のマッピング関係の更新が必要であると確定するように構成される。
【００１９】
上記の技術案において、前記受信ユニットは、さらに、第１のシグナリングを受信するように構成され、
前記確定ユニットは、さらに、前記受信ユニットにより受信された前記第１のシグナリングに基づいて、前記第２の反射サービス品質機能の更新が必要であると確定するように構成される。
【００２０】
上記の技術案において、前記第１のシグナリングは、ＲＲＣシグナリングである。
【００２１】
上記の技術案において、前記確定ユニットは、前記ＳＤＡＰデータのヘッダー内のＲＱＩ情報が、前記第２の反射サービス品質機能がアクティブ状態にあることを示す場合、前記第２のマッピング関係の更新が必要であると確定するように構成される。
【００２２】
上記の技術案において、前記端末は、さらに、起動ユニットを含み、
前記受信ユニットは、さらに、ＲＱＩ情報を受信するように構成され、
前記起動ユニットは、前記受信ユニットにより受信された前記ＲＱＩ情報に基づいて、タイマーを起動するように構成される。
【００２３】
上記の技術案において、前記確定ユニットは、前記受信ユニットが前記ＲＱＩが含まれるＳＤＡＰデータを受信した場合、前記タイマーが動作状態にあるかどうかに基づいて、前記第２のマッピング関係の更新が必要であるかどうかを確定するように構成される。
【００２４】
上記の技術案において、前記確定ユニットは、前記タイマーが動作状態にある場合、前記第２のマッピング関係の更新が必要でないと確定するように構成される。
【００２５】
上記の技術案において、前記確定ユニットは、前記タイマーがタイムアウトした場合、前記第２のマッピング関係の更新が必要であると確定するように構成される。
【００２６】
上記の技術案において、前記端末は、前記タイマーがタイムアウトした後、前記第２のマッピング関係を削除するように構成される更新ユニットを含む。
【００２７】
本発明の実施例は、本発明の実施例による情報指示方法のステップを実行するためにプロセッサによって実行されるコンピュータ命令を記憶したコンピュータ記憶媒体も提供する。
【００２８】
本発明の実施例は、データを伝送する通信コンポーネントと、メモリと、前記メモリに記憶され、前記メモリ上で動作するコンピュータプログラムとを備える端末を提供し、前記プロセッサが、前記プログラムを実行することにより、本発明の情報指示方法のステップを実現する。
【００２９】
本発明の実施例の情報指示方法、端末及びコンピューター記憶媒体によって、端末は、ＳＤＡＰデータを受信し、前記ＳＤＡＰデータのヘッダにおけるＲＱＩ情報に基づいて、更新が必要であるマッピング関係を確定し、前記マッピング関係は、第１のマッピング関係及び／又は第２のマッピング関係を含み、前記第１のマッピング関係は、第１の反射サービス品質機能に対応するＩＰストリームとＱｏＳストリームとのマッピング関係を示し、前記第２のマッピング関係は、第２の反射サービス品質機能に対応するＱｏＳストリームとＤＲＢとのマッピング関係を示す。本発明の実施例の技術的解決策を用いて、ＲＱＩに基づいて第１のマッピング関係及び/又は第２のマッピング関係の更新の必要性を確定することができる情報指示方法を提案する。
【図面の簡単な説明】
【００３０】
【図１】本発明の実施例における情報指示方法のフローチャートである。
【図２】本発明の実施例における端末の構成図である。
【図３】本発明の実施例における端末の他の構成図である。
【図４】本発明の実施例における端末の他の構成図である。
【図５】本発明の実施例における端末のハードウェア構成の模式図である。
【発明を実施するための形態】
【００３１】
以下、本発明を具体的な実施例に基づいてさらに詳細に説明する。
【００３２】
実施例一
本発明の実施例は、情報指示方法を提供する。図１は本発明の実施例における情報指示方法のフローチャートであり、図１に示すように、前記方法は、ステップ１０１〜１０２を含含む。
【００３３】
ステップ１０１において、端末がＳＤＡＰデータを受信する。
【００３４】
ステップ１０２において、前記端末が前記ＳＤＡＰデータのヘッダー内のＲＱＩ情報に基づいて、更新される必要があるマッピング関係を確認し、前記マッピング関係は、第１のマッピング関係及び／又は第２のマッピング関係を含み、前記第１のマッピング関係は、第１の反射サービス品質機能に対応するＩＰストリームとＱｏＳストリームとのマッピング関係を示し、前記第２のマッピング関係は、第２の反射サービス品質機能に対応するＱｏＳストリームとＤＲＢとのマッピング関係を示す。
【００３５】
この実施例において、反射サービス品質（Ｒｅｆｌｅｃｔｉｖｅ ＱｏＳ）機能は、第１の反射サービス品質機能と第２の反射サービス品質機能を含む。この実施例において、第１の反射サービス品質機能は、ＮＡＳ Ｒｅｆｌｅｃｔｉｖｅ ＱｏＳ機能であり、第２の反射サービス品質機能は、ＡＳ Ｒｅｆｌｅｃｔｉｖｅ ＱｏＳ機能である。第１の反射サービス品質機能は、ＩＰストリームとＱｏＳストリームとのマッピング関係に対応し、第２の反射サービス品質機能は、ＱｏＳストリームとＤＲＢとのマッピング関係に対応する。
【００３６】
この実施例では、ＲＱＩ情報はＳＤＡＰデータのヘッダに１ビットを占め、この１ビットで更新が必要なマッピング関係を示す。一実施例として、このビットが１である場合、すなわち、ＲＱＩ情報が１である場合、マッピング関係を更新する必要があることを示すことができ、これに対応し、このビットが０の場合、すなわちＲＱＩ情報が０の場合には、マッピング関係の更新が不要であることを示す。もちろん、その逆でもよく、ビットが０の場合、すなわちＲＱＩ情報が０の場合、マッピング関係を更新する必要があることを示し、本発明の実施例ではこれに限定されない。
【００３７】
第１の実施例として、前記ＳＤＡＰデータのヘッダー内のＲＱＩ情報に基づいて、更新される必要があるマッピング関係を確定することは、前記ＳＤＡＰデータのヘッダー内のＲＱＩ情報が、前記第１の反射サービス品質機能と前記第２の反射サービス品質機能がともにアクティブ状態にあることを示す場合、前記端末が前記第１のマッピング関係と前記第２のマッピング関係の更新が必要であると確定することを含む。
【００３８】
具体的には、この実施例では、ＲＱＩ情報が１である場合にマッピング関係の更新が必要であることを示し、ＲＱＩ情報が１である場合に第１の反射サービス品質機能及び第２の反射サービス品質機能が共にアクティブであることを示し、第１の反射サービス品質機能及び第２の反射サービス品質機能が共にアクティブである場合に第１の反射サービス品質機能に対応するＩＰストリームとＱｏＳストリームとのマッピング関係が変更され、第２の反射サービス品質機能に対応するＱｏＳストリームとＤＲＢとのマッピング関係も変更される可能性があり、端末は、第１のマッピング関係及び第２のマッピング関係の更新、すなわち、ＩＰストリームとＱｏＳストリームとのマッピング関係の更新、及びＱｏＳストリームとＤＲＢとのマッピング関係の更新が必要であると判定する。
【００３９】
第２の実施例として、前記ＳＤＡＰデータのヘッダー内のＲＱＩ情報に基づいて、更新される必要があるマッピング関係を確定することは、前記ＳＤＡＰデータのヘッダー内のＲＱＩ情報が、前記第１の反射サービス品質機能がアクティブ状態にあることを示す場合、前記端末が前記第１のマッピング関係の更新が必要であると確定することを含む。
【００４０】
具体的には、この実施例では、ＲＱＩ情報が１である場合にマッピング関係を更新する必要があることを示す例に挙げ、ＲＱＩ情報が１である場合、第１の反射サービス品質機能がアクティブ状態であることを示し、第１の反射サービス品質機能がアクティブ状態である場合、第１の反射サービス品質機能に対応するＩＰストリームとＱｏＳストリームとのマッピング関係が変更される可能性があり、端末は、第１のマッピング関係を更新する必要があり、すなわち、ＩＰストリームとＱｏＳストリームとのマッピング関係を更新する必要があると判定する。
【００４１】
さらに、前記方法は、さらに、前記端末が受信した第１のシグナリングに基づいて、前記第２の反射サービス品質機能の更新が必要であると確定することを含む。
【００４２】
この実施例において、端末が第２の反射サービス品質機能を更新するかどうかは、受信した第１のシグナリングに基づいて確定する。ここで、前記第１のシグナリングはＲＲＣシグナリングである場合、端末がＲＲＣシグナリングを受信し、前記ＲＲＣシグナリングの指示によって、前記第２の反射サービス品質機能を更新するかどうかを確定する。
【００４３】
第２の実施例として、前記ＳＤＡＰデータのヘッダー内のＲＱＩ情報に基づいて、更新される必要があるマッピング関係を確定することは、前記ＳＤＡＰデータのヘッダー内のＲＱＩ情報が、前記第２の反射サービス品質機能がアクティブ状態にあることを示す場合、前記端末が前記第２のマッピング関係の更新が必要であると確定することを含む。
【００４４】
具体的には、この実施例では、ＲＱＩ情報が１である場合にマッピング関係を更新する必要があることを示す例に挙げ、ＲＱＩ情報が１である場合、第２の反射サービス品質機能がアクティブ状態であることを示し、第２の反射サービス品質機能がアクティブ状態である場合、第２の反射サービス品質機能に対応するＱｏＳストリームとＤＲＢとのマッピング関係が変更される可能性があり、端末は、第２のマッピング関係を更新する必要があり、すなわち、ＱｏＳストリームとＤＲＢとのマッピング関係を更新する必要があると判定する。
【００４５】
前記方法は、さらに、前記端末が受信したＲＱＩ情報に基づいて、タイマーを起動することを含む。前記ＳＤＡＰデータのヘッダー内のＲＱＩ情報に基づいて、更新される必要があるマッピング関係を確定することは、前記端末が、前記ＲＱＩが含まれるＳＤＡＰデータを受信した場合、前記タイマーが動作状態にあるかどうかに基づいて、前記第２のマッピング関係の更新が必要であるかどうかを確定することを含む。
【００４６】
この実施例では、端末は、タイマーの状態に基づいて、第２のマッピング関係を更新する必要があるか否かを確定する。ここで、タイマーは、Ｎ３インターフェースで受信したＲＱＩ情報に基づいて起動され、Ｎ３インターフェースで受信したＲＱＩ情報がパケットのヘッダに位置している場合、端末は、パケットを受信すると、前記パケット中のＲＱＩを抽出し、ＲＱＩに基づいてタイマーを起動する。例えば、ＲＱＩが１であれば、タイマーをスタートさせる。ここで、タイマーのタイミング時間長は、所定の規則に従って配置されてもよい。
【００４７】
端末は、前記ＲＱＩが含まれるＳＤＡＰデータを受信した場合、タイマーの状態に基づいて、前記第２のマッピング関係の更新が必要であるかどうかを判断する。具体的に、前記タイマーが動作状態にあるかどうかに基づいて、前記第２のマッピング関係の更新が必要であるかどうかを確定することは、前記タイマーが動作状態にある場合、前記端末が前記第２のマッピング関係の更新が必要でないと確定することを含む、前記タイマーがタイムアウトした場合、前記端末が前記第２のマッピング関係の更新が必要であると確定することを含む。具体的に、前記タイマーの時間が満了する前に、端末が前記ＲＱＩを含むＳＤＡＰデータを受信すると、前記第２マッピング関係を更新する必要がないと確定し、タイマーの時間が経過した後、端末は、ＲＱＩを含むＳＤＡＰデータを受信すると、第２のマッピング関係を更新する必要があると判断する。
【００４８】
さらに、前記方法は、さらに、前記タイマーがタイムアウトした後、前記端末が前記第２のマッピング関係を削除することを含む。具体的に、前記第２のマッピング関係の更新が必要である場合、前記端末が前記第２のマッピング関係を削除する。
【００４９】
この実施例において、端末は、前記第１のマッピング関係を更新する必要があると判断した後、第１のマッピング関係が変更されたか否かを検出するフロー、すなわち、ＮＡＳ Ｒｅｆｌｅｃｔｉｖｅ ＱｏＳに対応するＩＰストリームとＱｏＳストリームとのマッピング関係が変更されたか否かを検出するフローを実行し、これに対応し、端末は、前記第２のマッピング関係の更新が必要であると判断し後、第２のマッピング関係が変更されたか否か、すなわち、ＡＳ Ｒｅｆｌｅｃｔｉｖｅ ＱｏＳに対応するＱｏＳストリームとＤＲＢとのマッピング関係が変更されたか否かを検出するフローを実行する。
【００５０】
本発明の実施例に係る技術案を採用し、情報指示方式を提供し、ＲＱＩに基づいて第１のマッピング関係及び／又は第２のマッピング関係の更新の必要性を確定する。
【００５１】
実施例二
本発明の実施例は、端末を提供する。図２は本発明の実施例における端末の構成図であり、図２に示すように、前記端末は、受信ユニット２１及び確定ユニット２２を含み、ここで、
前記受信ユニット２１は、ＳＤＡＰデータを受信するように構成され、
前記確定ユニット２２は、前記受信ユニット２１により受信された前記ＳＤＡＰデータのヘッダー内のＲＱＩ情報に基づいて、更新される必要があるマッピング関係を確定するように構成され、前記マッピング関係は、第１のマッピング関係及び／又は第２のマッピング関係を含み、前記第１のマッピング関係は、第１の反射サービス品質機能に対応するＩＰストリームとＱｏＳストリームとマッピング関係を示し、前記第２のマッピング関係は、第２の反射サービス品質機能に対応するＱｏＳストリームとＤＲＢとのマッピング関係を示す。
【００５２】
第１の実施例として、前記確定ユニット２２は、前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確認するように構成される。
【００５３】
第２の実施例として、前記確定ユニット２２は、前記ＳＤＡＰデータのヘッダー内のＲＱＩ情報が、前記第１の反射サービス品質機能がアクティブ状態にあることを示す場合、前記第１のマッピング関係の更新が必要であると確定するように構成される。
【００５４】
ここで、前記受信ユニット２１は、さらに、第１のシグナリングを受信するように構成され、
前記確定ユニット２２は、さらに、前記受信ユニット２１により受信された前記第１のシグナリングに基づいて、前記第２の反射サービス品質機能の更新が必要であると確定するように構成される。
【００５５】
ここで、前記第１のシグナリングはＲＲＣシグナリングである。
【００５６】
第３の実施例として、前記確定ユニット２２は、前記ＳＤＡＰデータのヘッダー内のＲＱＩ情報が、前記第２の反射サービス品質機能がアクティブ状態にあることを示す場合、前記第２のマッピング関係の更新が必要であると確定するように構成される。
【００５７】
図３は、本発明の実施例における端末他の構成図であり、図３に示すように、前記端末は、さらに、起動ユニット２３を含み、
前記受信ユニット２１は、さらに、ＲＱＩ情報を受信するように構成され、
前記起動ユニット２３は、前記受信ユニット２１により受信された前記ＲＱＩ情報に基づいて、タイマーを起動するように構成される。
【００５８】
この実施例において、前記確定ユニット２２は、前記受信ユニット２１が前記ＲＱＩが含まれるＳＤＡＰデータを受信した場合、前記タイマーが動作状態にあるかどうかに基づいて、前記第２のマッピング関係の更新が必要であるかどうかを確定するように構成される。
【００５９】
一実施例として、前記確定ユニット２２は、前記タイマーが動作状態にある場合、前記第２のマッピング関係の更新が必要でないと確定するように構成される。
【００６０】
一実施例として、前記確定ユニット２２は、前記タイマーがタイムアウトした場合、前記第２のマッピング関係の更新が必要であると確定するように構成される。
【００６１】
図４は本発明の実施例における端末の他の構成図であり、図４に示すように、前記端末は、さらに、前記タイマーがタイムアウトした後、前記第２のマッピング関係を削除するように構成される更新ユニット２４を含む。
【００６２】
本発明の実施例において、前記端末における確定ユニット２２、起動ユニット２３及び更新ユニット２４は、実際の応用において、中央処理装置( ＣＰＵ、Ｃｅｎｔｒａｌ Ｐｒｏｃｅｓｓｉｎｇ Ｕｎｉｔ )、デジタル信号処理装置( ＤＳＰ、Ｄｉｇｉｔａｌ Ｓｉｇｎａｌ Ｐｒｏｃｅｓｓｏｒ )、マイクロ制御ユニット( ＭＣＵ、Ｍｉｃｒｏｃｏｎｔｒｏｌｌｅｒ Ｕｎｉｔ )又はプログラマブルゲートアレイ( ＦＰＧＡ、Ｆｉｅｌｄ−Ｐｒｏｇｒａｍｍａｂｌｅ Ｇａｔｅ Ａｒｒａｙ )によって実現されてもよく、前記端末における受信ユニット２１は、実用的には通信モジュール(インフラストラクチャセット、オペレーティングシステム、通信モジュール、標準化インタフェースやプロトコル等を含む)及び送受信アンテナによって実現される。
【００６３】
なお、上記実施例は、情報処理を行う端末において、上記各プログラムモジュールの区分けのみを例示したものであり、実際の応用では、必要に応じて上記処理の割り当てを異なるプログラムモジュールで行い、すなわち、端末の内部構成を異なるプログラムモジュールに区分けして、上記処理の全部または一部を行うようにしてもよい。また、上記実施例による端末とキャッシュ状況報告方法の実施例は同一の概念に属し、具体的な実現過程は方法の実施例に詳細に示され、ここでその説明が省略される。
【００６４】
実施例三
本発明の実施例は、端末をさらに提供する。図５は、本発明の一実施例に係る端末のハードウェア構成を示す図であり、図５に示すように、データ送受信を行う通信コンポーネント４３と、少なくとも１つのプロセッサ４１と、プロセッサ４１上で実行可能なコンピュータプログラムを記憶するメモリ４２とを備えている。端末内の様々な構成要素は、バスシステム４４によって一緒に結合される。バスシステム４４は、これらの構成要素間の接続通信を可能にするために使用されることが理解される。バスシステム４４は、データバスの他に、電源バス、制御バス、ステータス信号バスを有する。ただし、説明を分かりやすくするために、図５では、各種のバスをバスシステム４４と表記している。
【００６５】
メモリ４２は、揮発性メモリ又は不揮発性メモリであってもよく、揮発性及び不揮発性メモリの両方を含んでもよいことが理解される。不揮発性メモリは、読み取り専用メモリ( ＲＯＭ、Ｒｅａｄ Ｏｎｌｙ Ｍｅｍｏｒｙ )、プログラマブル読み取り専用メモリ( ＰＲＯＭ、Ｐｒｏｇｒａｍｍａｂｌｅ Ｒｅａｄ−Ｏｎｌｙ Ｍｅｍｏｒｙ )、消去可能プログラマブル読み取り専用メモリ( ＥＰＲＯＭ、Ｅｒａｓａｂｌｅ Ｐｒｏｇｒａｍｍａｂｌｅ Ｒｅａｄ−Ｏｎｌｙ Ｍｅｍｏｒｙ )、電気的消去可能プログラマブル読み取り専用メモリ( ＥＥＰＲＯＭ、Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ )、磁気ランダムアクセスメモリ( ＦＲＡＭ、ｆｅｒｒｏｍａｇｎｅｔｉｃ ｒａｎｄｏｍ ａｃｃｅｓｓ ｍｅｍｏｒｙ )、フラッシュメモリ( Ｆｌａｓｈ Ｍｅｍｏｒｙ )、磁気表面メモリ、光ディスク、または読み取り専用光ディスク( ＣＤ−ＲＯＭ、Ｃｏｍｐａｃｔ Ｄｉｓｃ Ｒｅａｄ−Ｏｎｌｙ Ｍｅｍｏｒｙ )であってもよく、磁気表面メモリは、磁気ディスクメモリまたは磁気テープメモリであり得る。揮発性メモリは、外部キャッシュとして使用されるランダムアクセスメモリ( ＲＡＭ、Ｒａｎｄｏｍ Ａｃｃｅｓｓ Ｍｅｍｏｒｙ )であってよい。限定ではなく例として、ＲＡＭは、スタティックランダムアクセスメモリ( ＳＲＡＭ、Ｓｔａｔｉｃ Ｒａｎｄｏｍ Ａｃｃｅｓｓ Ｍｅｍｏｒｙ )、シンクロナススタティックランダムアクセスメモリ( ＳＳＲＡＭ、Ｓｙｎｃｈｒｏｎｏｕｓ Ｓｔａｔｉｃ Ｒａｎｄｏｍ Ａｃｃｅｓｓ Ｍｅｍｏｒｙ )、ダイナミックランダムアクセスメモリ( ＤＲＡＭ、Ｄｙｎａｍｉｃ Ｒａｎｄｏｍ Ａｃｃｅｓｓ Ｍｅｍｏｒｙ )、シンクロナスダイナミックランダムアクセスメモリ( ＳＤＲＡＭ、Ｓｙｎｃｈｒｏｎｏｕｓ Ｄｙｎａｍｉｃ Ｒａｎｄｏｍ Ａｃｃｅｓｓ Ｍｅｍｏｒｙ )、ダブルデータレートシンクロナスダイナミックランダムアクセスメモリ( ＤＤＲＳＤＲＡＭ、Ｄｏｕｂｌｅ Ｄａｔａ Ｒａｔｅ Ｓｙｎｃｈｒｏｎｏｕｓ Ｄｙｎａｍｉｃ Ｒａｎｄｏｍ Ａｃｃｅｓｓ Ｍｅｍｏｒｙ )、拡張シンクロナスダイナミックランダムアクセスメモリ( ＥＳＤＲＡＭ、Ｅｎｈａｎｃｅｄ Ｓｙｎｃｈｒｏｎｏｕｓ Ｄｙｎａｍｉｃ Ｒａｎｄｏｍ ＡｃｃｅｓＳ Ｍｅｍｏｒｙ )、シンクロナス接続ダイナミックランダムアクセスメモリ( ＳＬＤＲＡＭ，ＳｙｎｃＬｉｎｋ Ｄｙｎａｍｉｃ Ｒａｎｄｏｍ Ａｃｃｅｓｓ Ｍｅｍｏｒｙ )、ダイレクトメモリバスランダムアクセスメモリ( ＤＲＲＡＭ、Ｄｉｒｅｃｔ Ｒａｍｂｕｓ Ｒａｎｄｏｍ Ａｃｃｅｓｓ Ｍｅｍｏｒｙ )など、多くの形態で利用可能である。本発明の実施例に記載されるメモリ４２は、これら及び任意の他の適切なタイプのメモリを含むことが意図されるが、これらに限定されない。
【００６６】
上述した本発明の実施例に開示された方法は、プロセッサ４１に適用されてもよく、又はプロセッサ４１によって実装されてもよい。プロセッサ４１は、信号の処理能力を有する集積回路チップであり得る。実装の過程で、方法のステップは、プロセッサ４１内のハードウェアの集積論理回路またはソフトウェア形態の命令によって実行され得る。上記のプロセッサ４１は、汎用プロセッサ、ＤＳＰ、または他のプログラマブル論理デバイス、個別ゲートもしくはトランジスタロジック、個別ハードウェア構成要素などであり得る。プロセッサ４１は、本発明の実施例に開示された方法、ステップ、及び論理ブロック図を実施又は実行することができる。汎用プロセッサは、マイクロプロセッサ、または任意の従来のプロセッサなどであり得る。本発明の実施例に関連して開示された方法のステップは、ハードウェアデコーダプロセッサ実行として直接実装され得るか、または、デコーダプロセッサ内のハードウェアおよびソフトウェアモジュールの組み合わせで実行され得る。ソフトウェアモジュールは、メモリ４２内の記憶媒体に配置されてもよく、プロセッサ４１は、メモリ４２内の情報を読み出し、ハードウェアとともに上述した方法のステップを実行する。
【００６７】
例示的な実施例では、端末は、前述の方法を実行するための１つ以上のアプリケーション特定用途向け集積回路( ＡＳＩＣ、Ａｐｐｌｉｃａｔｉｏｎ Ｓｐｅｃｉｆｉｃ Ｉｎｔｅｇｒａｔｅｄ Ｃｉｒｃｕｉｔ )、ＤＳＰ、プログラマブル論理デバイス( ＰＬＤ、Ｐｒｏｇｒａｍｍａｂｌｅ Ｌｏｇｉｃ Ｄｅｖｉｃｅ )、複雑なプログラマブル論理デバイス( ＣＰＬＤ、Ｃｏｍｐｌｅｘ Ｐｒｏｇｒａｍｍａｂｌｅ Ｌｏｇｉｃ Ｄｅｖｉｃｅ )、ＦＰＧＡ、汎用プロセッサ、コントローラ、MCU、マイクロプロセッサ、又は他の電子素子によって実装されてもよい。
【００６８】
この実施例において、前記プロセッサ４１により前記プログラムを実行する場合、ＳＤＡＰデータを受信し、前記ＳＤＡＰデータのヘッダー内のＲＱＩ情報に基づいて、更新される必要があるマッピング関係を確認し、前記マッピング関係は、第１のマッピング関係及び／又は第２のマッピング関係を含み、前記第１のマッピング関係は、第１の反射サービス品質機能に対応するＩＰストリームとＱｏＳストリームとのマッピング関係を示し、前記第２のマッピング関係は、第２の反射サービス品質機能に対応するＱｏＳストリームとＤＲＢとのマッピング関係を示す。
【００６９】
一実施例として、前記プロセッサ４１により前記プログラムを実行する場合、前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確定する。
【００７０】
一実施例として、前記プロセッサ４１により前記プログラムを実行する場合、前記ＳＤＡＰデータのヘッダー内のＲＱＩ情報が、前記第１の反射サービス品質機能がアクティブ状態にあることを示す場合、前記第１のマッピング関係の更新が必要であると確定する。
【００７１】
ここで、前記プロセッサ４１により前記プログラムを実行する場合、受信した第１のシグナリングに基づいて、前記第２の反射サービス品質機能の更新が必要であると確定する。
【００７２】
ここで、前記第１のシグナリングはＲＲＣシグナリングである。
【００７３】
一実施例として、前記プロセッサ４１により前記プログラムを実行する場合、前記ＳＤＡＰデータのヘッダー内のＲＱＩ情報が、前記第２の反射サービス品質機能がアクティブ状態にあることを示す場合、前記端末が前記第２のマッピング関係の更新が必要であると確定する。
【００７４】
ここで、前記プロセッサ４１により前記プログラムを実行する場合、受信したＲＱＩ情報に基づいて、タイマーを起動する。
【００７５】
この実施例において、前記プロセッサ４１により前記プログラムを実行する場合、前記ＲＱＩが含まれるＳＤＡＰデータを受信した場合、前記タイマーが動作状態にあるかどうかに基づいて、前記第２のマッピング関係の更新が必要であるかどうかを確定する。
【００７６】
一実施例として、前記プロセッサ４１により前記プログラムを実行する場合、前記タイマーが動作状態にある場合、前記第２のマッピング関係の更新が必要でないと確定する。
【００７７】
他の実施例として、前記プロセッサ４１により前記プログラムを実行する場合、前記タイマーがタイムアウトした場合、前記第２のマッピング関係の更新が必要であると確定する。
【００７８】
一実施例として、前記プロセッサ４１により前記プログラムを実行する場合、前記タイマーがタイムアウトした後、前記第２のマッピング関係を削除する。
【００７９】
実施例四
本発明の実施例は、例えば、図５に示されるコンピュータプログラムを記憶したメモリ４２を含むコンピュータ記憶媒体をさらに提供し、上記コンピュータプログラムは、装置のプロセッサ４１によって実行されて、上記方法のステップを実現することができる。コンピュータ記憶媒体は、ＦＲＡＭ、ＲＯＭ、ＰＲＯＭ、ＥＰＲＯＭ、ＥＥＰＲＯＭ、Ｆｌａｓｈ Ｍｅｍｏｒｙ、磁気表面メモリ、光ディスク、又はＣＤ−ＲＯＭなどのメモリであってもよく、これらのメモリを１つ又は任意の組み合わせを含む種々のデバイスであってもよい。
【００８０】
この実施例において、本願の実施例に係るコンピューター記憶媒体は、コンピュータプログラムを記憶し、当該コンピュータプログラムがプロセッサにより実行される場合、ＳＤＡＰデータを受信し、前記ＳＤＡＰデータのヘッダー内のＲＱＩ情報に基づいて、更新される必要があるマッピング関係を確定し、前記マッピング関係は、第１のマッピング関係及び／又は第２のマッピング関係を含み、前記第１のマッピング関係は、第１の反射サービス品質機能に対応するＩＰストリームとＱｏＳストリームとのマッピング関係を示し、前記第２のマッピング関係は、第２の反射サービス品質機能に対応するＱｏＳストリームとＤＲＢとのマッピング関係を示す。
【００８１】
一実施例として、当該コンピュータプログラムがプロセッサにより実行される場合、当前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確定する。
【００８２】
一実施例として、当該コンピュータプログラムがプロセッサにより実行される場合、前記ＳＤＡＰデータのヘッダー内のＲＱＩ情報が、前記第１の反射サービス品質機能がアクティブ状態にあることを示す場合、前記第１のマッピング関係の更新が必要であると確定する。
【００８３】
ここで、当該コンピュータプログラムがプロセッサにより実行される場合、受信した第１のシグナリングに基づいて、前記第２の反射サービス品質機能の更新が必要であると確定する。
【００８４】
ここで、前記第１のシグナリングは、ＲＲＣシグナリングである。
【００８５】
一実施例として、当該コンピュータプログラムがプロセッサにより実行される場合、前記ＳＤＡＰデータのヘッダー内のＲＱＩ情報が、前記第２の反射サービス品質機能がアクティブ状態にあることを示す場合、前記端末が前記第２のマッピング関係の更新が必要であると確定する。
【００８６】
ここで、当該コンピュータプログラムがプロセッサにより実行される場合、受信したＲＱＩ情報に基づいて、タイマーを起動する。
【００８７】
この実施例において、当該コンピュータプログラムがプロセッサにより実行される場合、前記ＲＱＩが含まれるＳＤＡＰデータを受信した場合、前記タイマーが動作状態にあるかどうかに基づいて、前記第２のマッピング関係の更新が必要であるかどうかを確定する。
【００８８】
一実施例として、当該コンピュータプログラムがプロセッサにより実行される場合、前記タイマーが動作状態にある場合、前記第２のマッピング関係の更新が必要でないと確定する。
【００８９】
他の実施例として、当該コンピュータプログラムがプロセッサにより実行される場合、前記タイマーがタイムアウトした場合、前記第２のマッピング関係の更新が必要であると確定する。
【００９０】
一実施例として、当該コンピュータプログラムがプロセッサにより実行される場合、前記タイマーがタイムアウトした後、前記第２のマッピング関係を削除する。
【００９１】
本明細書で提供されるいくつかの実施例では、開示される端末および方法は、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【００９２】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよい。また、この実施例の目的を達成する手段の一部又は全部を、必要に応じて選択することができる。
【００９３】
また、本発明の各実施例における各機能部は、全てが１つの処理部に集積されていてもよいし、各部がそれぞれ単独で１つのユニットとして構成されていてもよいし、２つ以上のユニットが１つのユニットに集積されていてもよいし、上記の統合されたユニットは、ハードウェアの形態で実現されてもよいし、ハードウェア及びソフトウェア機能ユニットの形態で実現されてもよい。
【００９４】
当業者であれば、上述の方法の実施例を実現するステップの全部または一部は、プログラム命令に係るハードウェアによって実現されてもよく、また、上述のプログラムは、実行時に、上述の方法の実施例を含むステップを実行するコンピュータ読み取り可能な記憶媒体に格納されてもよく、また、上述の記憶媒体は、プログラムコードを記憶可能な、リムーバブル記憶装置、ＲＯＭ、ＲＡＭ、磁気ディスク、光ディスクなどの様々な媒体を含んでもよい。
【００９５】
あるいは、本発明の上記一体化されたユニットは、ソフトウェア機能ブロックの形で実現され、独立した製品として販売または使用される場合、１つのコンピュータ読み取り可能な記憶媒体に記憶されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。なお、前記記憶媒体には、可搬型記憶装置、ＲＯＭ、ＲＡＭ、磁気ディスク、光ディスク等のプログラムコードを記憶可能な種々の媒体が含まれる。
【００９６】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。したがって、本発明の保護範囲は、特許請求の範囲の保護範囲を基準とするものとする。
【図１】
2021500761.tif 000003
【図２】
2021500761.tif 000004
【図３】
2021500761.tif 000005
【図４】
2021500761.tif 000006
【図５】
2021500761.tif 000007
【手続補正書】
【提出日】令和2年8月24日(2020.8.24)
【手続補正１】
【補正対象書類名】明細書
【補正対象項目名】全文
【補正方法】変更
【補正の内容】
【発明の詳細な説明】
【技術分野】
【０００１】
本発明は、無線通信技術に関し、具体的に、情報指示方法、端末及びコンピューター記憶媒体に関する。
【背景技術】
【０００２】
３ＧＰＰ ＲＡＮ２＃９９会議で、反射サービス品質インジケータ( ＲＱＩ，Ｒｅｆｌｅｃｔｉｖｅ ＱｏＳ Ｉｎｄｉｃａｔｅ )情報が、非アクセス層( ＮＡＳ )およびアクセス層(ＡＳ)の反射ＱｏＳ(Ｒｅｆｌｅｃｔｉｖｅ ＱｏＳ)機能のアクティブおよび非アクティブを同時に示し、すなわちＲＱＩがＮＡＳ Ｒｅｆｌｅｃｔｉｖｅ ＱｏＳ機能およびＡＳ Ｒｅｆｌｅｃｔｉｖｅ ＱｏＳ機能がアクティブ状態であることを示す場合、端末はＮＡＳ Ｒｅｆｌｅｃｔｉｖｅ ＱｏＳのマッピング規則およびＡＳ Ｒｅｆｌｅｃｔｉｖｅ ＱｏＳのマッピング規則が変化したか否かをそれぞれ検出する必要がある。
【０００３】
しかしながら、ＮＡＳ Ｒｅｆｌｅｃｔｉｖｅ ＱｏＳ機能とＡＳ Ｒｅｆｌｅｃｔｉｖｅ ＱｏＳ機能は、互いに独立しており、ＮＡＳ Ｒｅｆｌｅｃｔｉｖｅ ＱｏＳ機能とＡＳ Ｒｅｆｌｅｃｔｉｖｅ ＱｏＳ機能の一方がアクティブ状態で、他方が非アクティブ状態である可能性がある。したがって、ＲＱＩに基づいて、その機能に対応するマッピング規則が更新される必要があるかを確定する方法は、現在の技術では有効な解決策がない。
【発明の概要】
【０００４】
既存の技術的問題を解決するために、本発明の実施例は、情報指示方法、端末、およびコンピュータ記憶媒体を提供する。
【０００５】
本発明の実施例は、情報指示方法を提供し、前記方法は、
端末がサービスデータ適合プロトコル（ＳＤＡＰ、Ｓｅｒｖｉｃｅ Ｄａｔａ Ａｄａｐｔａｔｉｏｎ Ｐｒｏｔｏｃｏｌ）データを受信し、前記ＳＤＡＰデータのヘッダー内のＲＱＩ情報に基づいて、更新される必要があるマッピング関係を確定することを含み、前記マッピング関係は、第１のマッピング関係及び／又は第２のマッピング関係を含み、
前記第１のマッピング関係は、第１の反射サービス品質機能に対応するインターネットプロトコル（ＩＰ、Ｉｎｔｅｒｎｅｔ Ｐｒｏｔｏｃｏｌ）ストリームとサービス品質（ＱｏＳ、Ｑｕａｌｉｔｙ ｏｆ Ｓｅｒｖｉｃｅ）ストリームとのマッピング関係を示し、前記第２のマッピング関係は、第２の反射サービス品質機能に対応するＱｏＳストリームとデータリソースベアラ（ＤＲＢ、Ｄａｔａ Ｒｅｓｏｕｒｃｅ Ｂｅａｒｅｒ）とのマッピング関係を示す。
【０００６】
上記の技術案において、前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第１の反射サービス品質機能と前記第２の反射サービス品質機能がともにアクティブ状態にあることを示す場合、前記端末が前記第１のマッピング関係と前記第２のマッピング関係の更新が必要であると確定することを含む。
【０００７】
上記の技術案において、前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第１の反射サービス品質機能がアクティブ状態にあることを示す場合、前記端末が前記第１のマッピング関係の更新が必要であると確定することを含む。
【０００８】
上記の技術案において、前記方法は、さらに、前記端末が受信した第１のシグナリングに基づいて、前記第２の反射サービス品質機能の更新が必要であると確定することを含む。
【０００９】
上記の技術案において、前記第１のシグナリングは、無線リソース制御（ＲＲＣ、Ｒａｄｉｏ Ｒｅｓｏｕｒｃｅ Ｃｏｎｔｒｏｌ）シグナリングである。
【００１０】
上記の技術案において、前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第２の反射サービス品質機能がアクティブ状態にあることを示す場合、前記端末が前記第２のマッピング関係の更新が必要であると確定することを含む。
【００１１】
上記の技術案において、前記方法は、さらに、
前記端末が受信したＲＱＩ情報に基づいて、タイマーを起動することを含む。
【００１２】
上記の技術案において、前記ＳＤＡＰデータのヘッダー内のＲＱＩ情報に基づいて、更新される必要があるマッピング関係を確定することは、
前記端末が、前記ＲＱＩが含まれるＳＤＡＰデータを受信した場合、前記タイマーが動作状態にあるかどうかに基づいて、前記第２のマッピング関係の更新が必要であるかどうかを確定することを含む。
【００１３】
上記の技術案において、前記タイマーが動作状態にあるかどうかに基づいて、前記第２のマッピング関係の更新が必要であるかどうかを確定することは、
前記タイマーが動作状態にある場合、前記端末が前記第２のマッピング関係の更新が必要でないと確定することを含む。
【００１４】
上記の技術案において、前記タイマーが動作状態にあるかどうかに基づいて、前記第２のマッピング関係の更新が必要であるかどうかを確定することは、
前記タイマーがタイムアウトした場合、前記端末が前記第２のマッピング関係の更新が必要であると確定することを含む。
【００１５】
上記の技術案において、前記方法は、さらに、
前記タイマーがタイムアウトした後、前記端末が前記第２のマッピング関係を削除することを含む。
【００１６】
本発明の実施例は、また、端末を提供し、前記端末は、受信ユニット及び確定ユニットを含み、ここで、
前記受信ユニットは、ＳＤＡＰデータを受信するように構成され、
前記確定ユニットは、前記受信ユニットにより受信された前記ＳＤＡＰデータのヘッダー内のＲＱＩ情報に基づいて、更新される必要があるマッピング関係を確定するように構成され、前記マッピング関係は、第１のマッピング関係及び／又は第２のマッピング関係を含み、前記第１のマッピング関係は、第１の反射サービス品質機能に対応するＩＰストリームとＱｏＳストリームのマッピング関係を示し、前記第２のマッピング関係は、第２の反射サービス品質機能に対応するＱｏＳストリームとＤＲＢとのマッピング関係を示す。
【００１７】
上記の技術案において、前記確定ユニットは、前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確定するように構成される。
【００１８】
上記の技術案において、前記確定ユニットは、前記ＳＤＡＰデータのヘッダー内のＲＱＩ情報が、前記第１の反射サービス品質機能がアクティブ状態にあることを示す場合、前記第１のマッピング関係の更新が必要であると確定するように構成される。
【００１９】
上記の技術案において、前記受信ユニットは、さらに、第１のシグナリングを受信するように構成され、
前記確定ユニットは、さらに、前記受信ユニットにより受信された前記第１のシグナリングに基づいて、前記第２の反射サービス品質機能の更新が必要であると確定するように構成される。
【００２０】
上記の技術案において、前記第１のシグナリングは、ＲＲＣシグナリングである。
【００２１】
上記の技術案において、前記確定ユニットは、前記ＳＤＡＰデータのヘッダー内のＲＱＩ情報が、前記第２の反射サービス品質機能がアクティブ状態にあることを示す場合、前記第２のマッピング関係の更新が必要であると確定するように構成される。
【００２２】
上記の技術案において、前記端末は、さらに、起動ユニットを含み、
前記受信ユニットは、さらに、ＲＱＩ情報を受信するように構成され、
前記起動ユニットは、前記受信ユニットにより受信された前記ＲＱＩ情報に基づいて、タイマーを起動するように構成される。
【００２３】
上記の技術案において、前記確定ユニットは、前記受信ユニットが前記ＲＱＩが含まれるＳＤＡＰデータを受信した場合、前記タイマーが動作状態にあるかどうかに基づいて、前記第２のマッピング関係の更新が必要であるかどうかを確定するように構成される。
【００２４】
上記の技術案において、前記確定ユニットは、前記タイマーが動作状態にある場合、前記第２のマッピング関係の更新が必要でないと確定するように構成される。
【００２５】
上記の技術案において、前記確定ユニットは、前記タイマーがタイムアウトした場合、前記第２のマッピング関係の更新が必要であると確定するように構成される。
【００２６】
上記の技術案において、前記端末は、前記タイマーがタイムアウトした後、前記第２のマッピング関係を削除するように構成される更新ユニットを含む。
【００２７】
本発明の実施例は、本発明の実施例による情報指示方法のステップを実行するためにプロセッサによって実行されるコンピュータ命令を記憶したコンピュータ記憶媒体も提供する。
【００２８】
本発明の実施例は、データを伝送する通信コンポーネントと、メモリと、前記メモリに記憶され、前記メモリ上で動作するコンピュータプログラムとを備える端末を提供し、前記プロセッサが、前記プログラムを実行することにより、本発明の情報指示方法のステップを実現する。
【００２９】
本発明の実施例の情報指示方法、端末及びコンピューター記憶媒体によって、端末は、ＳＤＡＰデータを受信し、前記ＳＤＡＰデータのヘッダにおけるＲＱＩ情報に基づいて、更新が必要であるマッピング関係を確定し、前記マッピング関係は、第１のマッピング関係及び／又は第２のマッピング関係を含み、前記第１のマッピング関係は、第１の反射サービス品質機能に対応するＩＰストリームとＱｏＳストリームとのマッピング関係を示し、前記第２のマッピング関係は、第２の反射サービス品質機能に対応するＱｏＳストリームとＤＲＢとのマッピング関係を示す。本発明の実施例の技術的解決策を用いて、ＲＱＩに基づいて第１のマッピング関係及び/又は第２のマッピング関係の更新の必要性を確定することができる情報指示方法を提案する。
【図面の簡単な説明】
【００３０】
【図１】本発明の実施例における情報指示方法のフローチャートである。
【図２】本発明の実施例における端末の構成図である。
【図３】本発明の実施例における端末の他の構成図である。
【図４】本発明の実施例における端末の他の構成図である。
【図５】本発明の実施例における端末のハードウェア構成の模式図である。
【発明を実施するための形態】
【００３１】
以下、本発明を具体的な実施例に基づいてさらに詳細に説明する。
【００３２】
実施例一
本発明の実施例は、情報指示方法を提供する。図１は本発明の実施例における情報指示方法のフローチャートであり、図１に示すように、前記方法は、ステップ１０１〜１０２を含含む。
【００３３】
ステップ１０１において、端末がＳＤＡＰデータを受信する。
【００３４】
ステップ１０２において、前記端末が前記ＳＤＡＰデータのヘッダー内のＲＱＩ情報に基づいて、更新される必要があるマッピング関係を確認し、前記マッピング関係は、第１のマッピング関係及び／又は第２のマッピング関係を含み、前記第１のマッピング関係は、第１の反射サービス品質機能に対応するＩＰストリームとＱｏＳストリームとのマッピング関係を示し、前記第２のマッピング関係は、第２の反射サービス品質機能に対応するＱｏＳストリームとＤＲＢとのマッピング関係を示す。
【００３５】
この実施例において、反射サービス品質（Ｒｅｆｌｅｃｔｉｖｅ ＱｏＳ）機能は、第１の反射サービス品質機能と第２の反射サービス品質機能を含む。この実施例において、第１の反射サービス品質機能は、ＮＡＳ Ｒｅｆｌｅｃｔｉｖｅ ＱｏＳ機能であり、第２の反射サービス品質機能は、ＡＳ Ｒｅｆｌｅｃｔｉｖｅ ＱｏＳ機能である。第１の反射サービス品質機能は、ＩＰストリームとＱｏＳストリームとのマッピング関係に対応し、第２の反射サービス品質機能は、ＱｏＳストリームとＤＲＢとのマッピング関係に対応する。
【００３６】
この実施例では、ＲＱＩ情報はＳＤＡＰデータのヘッダに１ビットを占め、この１ビットで更新が必要なマッピング関係を示す。一実施例として、このビットが１である場合、すなわち、ＲＱＩ情報が１である場合、マッピング関係を更新する必要があることを示すことができ、これに対応し、このビットが０の場合、すなわちＲＱＩ情報が０の場合には、マッピング関係の更新が不要であることを示す。もちろん、その逆でもよく、ビットが０の場合、すなわちＲＱＩ情報が０の場合、マッピング関係を更新する必要があることを示し、本発明の実施例ではこれに限定されない。
【００３７】
第１の実施例として、前記ＳＤＡＰデータのヘッダー内のＲＱＩ情報に基づいて、更新される必要があるマッピング関係を確定することは、前記ＳＤＡＰデータのヘッダー内のＲＱＩ情報が、前記第１の反射サービス品質機能と前記第２の反射サービス品質機能がともにアクティブ状態にあることを示す場合、前記端末が前記第１のマッピング関係と前記第２のマッピング関係の更新が必要であると確定することを含む。
【００３８】
具体的には、この実施例では、ＲＱＩ情報が１である場合にマッピング関係の更新が必要であることを示し、ＲＱＩ情報が１である場合に第１の反射サービス品質機能及び第２の反射サービス品質機能が共にアクティブであることを示し、第１の反射サービス品質機能及び第２の反射サービス品質機能が共にアクティブである場合に第１の反射サービス品質機能に対応するＩＰストリームとＱｏＳストリームとのマッピング関係が変更され、第２の反射サービス品質機能に対応するＱｏＳストリームとＤＲＢとのマッピング関係も変更される可能性があり、端末は、第１のマッピング関係及び第２のマッピング関係の更新、すなわち、ＩＰストリームとＱｏＳストリームとのマッピング関係の更新、及びＱｏＳストリームとＤＲＢとのマッピング関係の更新が必要であると判定する。
【００３９】
第２の実施例として、前記ＳＤＡＰデータのヘッダー内のＲＱＩ情報に基づいて、更新される必要があるマッピング関係を確定することは、前記ＳＤＡＰデータのヘッダー内のＲＱＩ情報が、前記第１の反射サービス品質機能がアクティブ状態にあることを示す場合、前記端末が前記第１のマッピング関係の更新が必要であると確定することを含む。
【００４０】
具体的には、この実施例では、ＲＱＩ情報が１である場合にマッピング関係を更新する必要があることを示す例に挙げ、ＲＱＩ情報が１である場合、第１の反射サービス品質機能がアクティブ状態であることを示し、第１の反射サービス品質機能がアクティブ状態である場合、第１の反射サービス品質機能に対応するＩＰストリームとＱｏＳストリームとのマッピング関係が変更される可能性があり、端末は、第１のマッピング関係を更新する必要があり、すなわち、ＩＰストリームとＱｏＳストリームとのマッピング関係を更新する必要があると判定する。
【００４１】
さらに、前記方法は、さらに、前記端末が受信した第１のシグナリングに基づいて、前記第２の反射サービス品質機能の更新が必要であると確定することを含む。
【００４２】
この実施例において、端末が第２の反射サービス品質機能を更新するかどうかは、受信した第１のシグナリングに基づいて確定する。ここで、前記第１のシグナリングはＲＲＣシグナリングである場合、端末がＲＲＣシグナリングを受信し、前記ＲＲＣシグナリングの指示によって、前記第２の反射サービス品質機能を更新するかどうかを確定する。
【００４３】
第２の実施例として、前記ＳＤＡＰデータのヘッダー内のＲＱＩ情報に基づいて、更新される必要があるマッピング関係を確定することは、前記ＳＤＡＰデータのヘッダー内のＲＱＩ情報が、前記第２の反射サービス品質機能がアクティブ状態にあることを示す場合、前記端末が前記第２のマッピング関係の更新が必要であると確定することを含む。
【００４４】
具体的には、この実施例では、ＲＱＩ情報が１である場合にマッピング関係を更新する必要があることを示す例に挙げ、ＲＱＩ情報が１である場合、第２の反射サービス品質機能がアクティブ状態であることを示し、第２の反射サービス品質機能がアクティブ状態である場合、第２の反射サービス品質機能に対応するＱｏＳストリームとＤＲＢとのマッピング関係が変更される可能性があり、端末は、第２のマッピング関係を更新する必要があり、すなわち、ＱｏＳストリームとＤＲＢとのマッピング関係を更新する必要があると判定する。
【００４５】
前記方法は、さらに、前記端末が受信したＲＱＩ情報に基づいて、タイマーを起動することを含む。
【００４６】
前記ＳＤＡＰデータのヘッダー内のＲＱＩ情報に基づいて、更新される必要があるマッピング関係を確定することは、前記端末が、前記ＲＱＩが含まれるＳＤＡＰデータを受信した場合、前記タイマーが動作状態にあるかどうかに基づいて、前記第２のマッピング関係の更新が必要であるかどうかを確定することを含む。
【００４７】
この実施例では、端末は、タイマーの状態に基づいて、第２のマッピング関係を更新する必要があるか否かを確定する。ここで、タイマーは、Ｎ３インターフェースで受信したＲＱＩ情報に基づいて起動され、Ｎ３インターフェースで受信したＲＱＩ情報がパケットのヘッダに位置している場合、端末は、パケットを受信すると、前記パケット中のＲＱＩを抽出し、ＲＱＩに基づいてタイマーを起動する。例えば、ＲＱＩが１であれば、タイマーをスタートさせる。ここで、タイマーのタイミング時間長は、所定の規則に従って配置されてもよい。
【００４８】
端末は、前記ＲＱＩが含まれるＳＤＡＰデータを受信した場合、タイマーの状態に基づいて、前記第２のマッピング関係の更新が必要であるかどうかを判断する。具体的に、前記タイマーが動作状態にあるかどうかに基づいて、前記第２のマッピング関係の更新が必要であるかどうかを確定することは、前記タイマーが動作状態にある場合、前記端末が前記第２のマッピング関係の更新が必要でないと確定することを含む、前記タイマーがタイムアウトした場合、前記端末が前記第２のマッピング関係の更新が必要であると確定することを含む。具体的に、前記タイマーの時間が満了する前に、端末が前記ＲＱＩを含むＳＤＡＰデータを受信すると、前記第２マッピング関係を更新する必要がないと確定し、タイマーの時間が経過した後、端末は、ＲＱＩを含むＳＤＡＰデータを受信すると、第２のマッピング関係を更新する必要があると判断する。
【００４９】
さらに、前記方法は、さらに、前記タイマーがタイムアウトした後、前記端末が前記第２のマッピング関係を削除することを含む。具体的に、前記第２のマッピング関係の更新が必要である場合、前記端末が前記第２のマッピング関係を削除する。
【００５０】
この実施例において、端末は、前記第１のマッピング関係を更新する必要があると判断した後、第１のマッピング関係が変更されたか否かを検出するフロー、すなわち、ＮＡＳ Ｒｅｆｌｅｃｔｉｖｅ ＱｏＳに対応するＩＰストリームとＱｏＳストリームとのマッピング関係が変更されたか否かを検出するフローを実行し、これに対応し、端末は、前記第２のマッピング関係の更新が必要であると判断し後、第２のマッピング関係が変更されたか否か、すなわち、ＡＳ Ｒｅｆｌｅｃｔｉｖｅ ＱｏＳに対応するＱｏＳストリームとＤＲＢとのマッピング関係が変更されたか否かを検出するフローを実行する。
【００５１】
本発明の実施例に係る技術案を採用し、情報指示方式を提供し、ＲＱＩに基づいて第１のマッピング関係及び／又は第２のマッピング関係の更新の必要性を確定する。
【００５２】
実施例二
本発明の実施例は、端末を提供する。図２は本発明の実施例における端末の構成図であり、図２に示すように、前記端末は、受信ユニット２１及び確定ユニット２２を含み、ここで、
前記受信ユニット２１は、ＳＤＡＰデータを受信するように構成され、
前記確定ユニット２２は、前記受信ユニット２１により受信された前記ＳＤＡＰデータのヘッダー内のＲＱＩ情報に基づいて、更新される必要があるマッピング関係を確定するように構成され、前記マッピング関係は、第１のマッピング関係及び／又は第２のマッピング関係を含み、前記第１のマッピング関係は、第１の反射サービス品質機能に対応するＩＰストリームとＱｏＳストリームとマッピング関係を示し、前記第２のマッピング関係は、第２の反射サービス品質機能に対応するＱｏＳストリームとＤＲＢとのマッピング関係を示す。
【００５３】
第１の実施例として、前記確定ユニット２２は、前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確認するように構成される。
【００５４】
第２の実施例として、前記確定ユニット２２は、前記ＳＤＡＰデータのヘッダー内のＲＱＩ情報が、前記第１の反射サービス品質機能がアクティブ状態にあることを示す場合、前記第１のマッピング関係の更新が必要であると確定するように構成される。
【００５５】
ここで、前記受信ユニット２１は、さらに、第１のシグナリングを受信するように構成され、
前記確定ユニット２２は、さらに、前記受信ユニット２１により受信された前記第１のシグナリングに基づいて、前記第２の反射サービス品質機能の更新が必要であると確定するように構成される。
【００５６】
ここで、前記第１のシグナリングはＲＲＣシグナリングである。
【００５７】
第３の実施例として、前記確定ユニット２２は、前記ＳＤＡＰデータのヘッダー内のＲＱＩ情報が、前記第２の反射サービス品質機能がアクティブ状態にあることを示す場合、前記第２のマッピング関係の更新が必要であると確定するように構成される。
【００５８】
図３は、本発明の実施例における端末他の構成図であり、図３に示すように、前記端末は、さらに、起動ユニット２３を含み、
前記受信ユニット２１は、さらに、ＲＱＩ情報を受信するように構成され、
前記起動ユニット２３は、前記受信ユニット２１により受信された前記ＲＱＩ情報に基づいて、タイマーを起動するように構成される。
【００５９】
この実施例において、前記確定ユニット２２は、前記受信ユニット２１が前記ＲＱＩが含まれるＳＤＡＰデータを受信した場合、前記タイマーが動作状態にあるかどうかに基づいて、前記第２のマッピング関係の更新が必要であるかどうかを確定するように構成される。
【００６０】
一実施例として、前記確定ユニット２２は、前記タイマーが動作状態にある場合、前記第２のマッピング関係の更新が必要でないと確定するように構成される。
【００６１】
一実施例として、前記確定ユニット２２は、前記タイマーがタイムアウトした場合、前記第２のマッピング関係の更新が必要であると確定するように構成される。
【００６２】
図４は本発明の実施例における端末の他の構成図であり、図４に示すように、前記端末は、さらに、前記タイマーがタイムアウトした後、前記第２のマッピング関係を削除するように構成される更新ユニット２４を含む。
【００６３】
本発明の実施例において、前記端末における確定ユニット２２、起動ユニット２３及び更新ユニット２４は、実際の応用において、中央処理装置( ＣＰＵ、Ｃｅｎｔｒａｌ Ｐｒｏｃｅｓｓｉｎｇ Ｕｎｉｔ )、デジタル信号処理装置( ＤＳＰ、Ｄｉｇｉｔａｌ Ｓｉｇｎａｌ Ｐｒｏｃｅｓｓｏｒ )、マイクロ制御ユニット( ＭＣＵ、Ｍｉｃｒｏｃｏｎｔｒｏｌｌｅｒ Ｕｎｉｔ )又はプログラマブルゲートアレイ( ＦＰＧＡ、Ｆｉｅｌｄ−Ｐｒｏｇｒａｍｍａｂｌｅ Ｇａｔｅ Ａｒｒａｙ )によって実現されてもよく、前記端末における受信ユニット２１は、実用的には通信モジュール(インフラストラクチャセット、オペレーティングシステム、通信モジュール、標準化インタフェースやプロトコル等を含む)及び送受信アンテナによって実現される。
【００６４】
なお、上記実施例は、情報処理を行う端末において、上記各プログラムモジュールの区分けのみを例示したものであり、実際の応用では、必要に応じて上記処理の割り当てを異なるプログラムモジュールで行い、すなわち、端末の内部構成を異なるプログラムモジュールに区分けして、上記処理の全部または一部を行うようにしてもよい。また、上記実施例による端末とキャッシュ状況報告方法の実施例は同一の概念に属し、具体的な実現過程は方法の実施例に詳細に示され、ここでその説明が省略される。
【００６５】
実施例三
本発明の実施例は、端末をさらに提供する。図５は、本発明の一実施例に係る端末のハードウェア構成を示す図であり、図５に示すように、データ送受信を行う通信コンポーネント４３と、少なくとも１つのプロセッサ４１と、プロセッサ４１上で実行可能なコンピュータプログラムを記憶するメモリ４２とを備えている。端末内の様々な構成要素は、バスシステム４４によって一緒に結合される。バスシステム４４は、これらの構成要素間の接続通信を可能にするために使用されることが理解される。バスシステム４４は、データバスの他に、電源バス、制御バス、ステータス信号バスを有する。ただし、説明を分かりやすくするために、図５では、各種のバスをバスシステム４４と表記している。
【００６６】
メモリ４２は、揮発性メモリ又は不揮発性メモリであってもよく、揮発性及び不揮発性メモリの両方を含んでもよいことが理解される。不揮発性メモリは、読み取り専用メモリ( ＲＯＭ、Ｒｅａｄ Ｏｎｌｙ Ｍｅｍｏｒｙ )、プログラマブル読み取り専用メモリ( ＰＲＯＭ、Ｐｒｏｇｒａｍｍａｂｌｅ Ｒｅａｄ−Ｏｎｌｙ Ｍｅｍｏｒｙ )、消去可能プログラマブル読み取り専用メモリ( ＥＰＲＯＭ、Ｅｒａｓａｂｌｅ Ｐｒｏｇｒａｍｍａｂｌｅ Ｒｅａｄ−Ｏｎｌｙ Ｍｅｍｏｒｙ )、電気的消去可能プログラマブル読み取り専用メモリ( ＥＥＰＲＯＭ、Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ )、磁気ランダムアクセスメモリ( ＦＲＡＭ、ｆｅｒｒｏｍａｇｎｅｔｉｃ ｒａｎｄｏｍ ａｃｃｅｓｓ ｍｅｍｏｒｙ )、フラッシュメモリ( Ｆｌａｓｈ Ｍｅｍｏｒｙ )、磁気表面メモリ、光ディスク、または読み取り専用光ディスク( ＣＤ−ＲＯＭ、Ｃｏｍｐａｃｔ Ｄｉｓｃ Ｒｅａｄ−Ｏｎｌｙ Ｍｅｍｏｒｙ )であってもよく、磁気表面メモリは、磁気ディスクメモリまたは磁気テープメモリであり得る。揮発性メモリは、外部キャッシュとして使用されるランダムアクセスメモリ( ＲＡＭ、Ｒａｎｄｏｍ Ａｃｃｅｓｓ Ｍｅｍｏｒｙ )であってよい。限定ではなく例として、ＲＡＭは、スタティックランダムアクセスメモリ( ＳＲＡＭ、Ｓｔａｔｉｃ Ｒａｎｄｏｍ Ａｃｃｅｓｓ Ｍｅｍｏｒｙ )、シンクロナススタティックランダムアクセスメモリ( ＳＳＲＡＭ、Ｓｙｎｃｈｒｏｎｏｕｓ Ｓｔａｔｉｃ Ｒａｎｄｏｍ Ａｃｃｅｓｓ Ｍｅｍｏｒｙ )、ダイナミックランダムアクセスメモリ( ＤＲＡＭ、Ｄｙｎａｍｉｃ Ｒａｎｄｏｍ Ａｃｃｅｓｓ Ｍｅｍｏｒｙ )、シンクロナスダイナミックランダムアクセスメモリ( ＳＤＲＡＭ、Ｓｙｎｃｈｒｏｎｏｕｓ Ｄｙｎａｍｉｃ Ｒａｎｄｏｍ Ａｃｃｅｓｓ Ｍｅｍｏｒｙ )、ダブルデータレートシンクロナスダイナミックランダムアクセスメモリ( ＤＤＲＳＤＲＡＭ、Ｄｏｕｂｌｅ Ｄａｔａ Ｒａｔｅ Ｓｙｎｃｈｒｏｎｏｕｓ Ｄｙｎａｍｉｃ Ｒａｎｄｏｍ Ａｃｃｅｓｓ Ｍｅｍｏｒｙ )、拡張シンクロナスダイナミックランダムアクセスメモリ( ＥＳＤＲＡＭ、Ｅｎｈａｎｃｅｄ Ｓｙｎｃｈｒｏｎｏｕｓ Ｄｙｎａｍｉｃ Ｒａｎｄｏｍ ＡｃｃｅｓＳ Ｍｅｍｏｒｙ )、シンクロナス接続ダイナミックランダムアクセスメモリ( ＳＬＤＲＡＭ，ＳｙｎｃＬｉｎｋ Ｄｙｎａｍｉｃ Ｒａｎｄｏｍ Ａｃｃｅｓｓ Ｍｅｍｏｒｙ )、ダイレクトメモリバスランダムアクセスメモリ( ＤＲＲＡＭ、Ｄｉｒｅｃｔ Ｒａｍｂｕｓ Ｒａｎｄｏｍ Ａｃｃｅｓｓ Ｍｅｍｏｒｙ )など、多くの形態で利用可能である。本発明の実施例に記載されるメモリ４２は、これら及び任意の他の適切なタイプのメモリを含むことが意図されるが、これらに限定されない。
【００６７】
上述した本発明の実施例に開示された方法は、プロセッサ４１に適用されてもよく、又はプロセッサ４１によって実装されてもよい。プロセッサ４１は、信号の処理能力を有する集積回路チップであり得る。実装の過程で、方法のステップは、プロセッサ４１内のハードウェアの集積論理回路またはソフトウェア形態の命令によって実行され得る。上記のプロセッサ４１は、汎用プロセッサ、ＤＳＰ、または他のプログラマブル論理デバイス、個別ゲートもしくはトランジスタロジック、個別ハードウェア構成要素などであり得る。プロセッサ４１は、本発明の実施例に開示された方法、ステップ、及び論理ブロック図を実施又は実行することができる。汎用プロセッサは、マイクロプロセッサ、または任意の従来のプロセッサなどであり得る。本発明の実施例に関連して開示された方法のステップは、ハードウェアデコーダプロセッサ実行として直接実装され得るか、または、デコーダプロセッサ内のハードウェアおよびソフトウェアモジュールの組み合わせで実行され得る。ソフトウェアモジュールは、メモリ４２内の記憶媒体に配置されてもよく、プロセッサ４１は、メモリ４２内の情報を読み出し、ハードウェアとともに上述した方法のステップを実行する。
【００６８】
例示的な実施例では、端末は、前述の方法を実行するための１つ以上のアプリケーション特定用途向け集積回路( ＡＳＩＣ、Ａｐｐｌｉｃａｔｉｏｎ Ｓｐｅｃｉｆｉｃ Ｉｎｔｅｇｒａｔｅｄ Ｃｉｒｃｕｉｔ )、ＤＳＰ、プログラマブル論理デバイス( ＰＬＤ、Ｐｒｏｇｒａｍｍａｂｌｅ Ｌｏｇｉｃ Ｄｅｖｉｃｅ )、複雑なプログラマブル論理デバイス( ＣＰＬＤ、Ｃｏｍｐｌｅｘ Ｐｒｏｇｒａｍｍａｂｌｅ Ｌｏｇｉｃ Ｄｅｖｉｃｅ )、ＦＰＧＡ、汎用プロセッサ、コントローラ、MCU、マイクロプロセッサ、又は他の電子素子によって実装されてもよい。
【００６９】
この実施例において、前記プロセッサ４１により前記プログラムを実行する場合、ＳＤＡＰデータを受信し、前記ＳＤＡＰデータのヘッダー内のＲＱＩ情報に基づいて、更新される必要があるマッピング関係を確認し、前記マッピング関係は、第１のマッピング関係及び／又は第２のマッピング関係を含み、前記第１のマッピング関係は、第１の反射サービス品質機能に対応するＩＰストリームとＱｏＳストリームとのマッピング関係を示し、前記第２のマッピング関係は、第２の反射サービス品質機能に対応するＱｏＳストリームとＤＲＢとのマッピング関係を示す。
【００７０】
一実施例として、前記プロセッサ４１により前記プログラムを実行する場合、前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確定する。
【００７１】
一実施例として、前記プロセッサ４１により前記プログラムを実行する場合、前記ＳＤＡＰデータのヘッダー内のＲＱＩ情報が、前記第１の反射サービス品質機能がアクティブ状態にあることを示す場合、前記第１のマッピング関係の更新が必要であると確定する。
【００７２】
ここで、前記プロセッサ４１により前記プログラムを実行する場合、受信した第１のシグナリングに基づいて、前記第２の反射サービス品質機能の更新が必要であると確定する。
【００７３】
ここで、前記第１のシグナリングはＲＲＣシグナリングである。
【００７４】
一実施例として、前記プロセッサ４１により前記プログラムを実行する場合、前記ＳＤＡＰデータのヘッダー内のＲＱＩ情報が、前記第２の反射サービス品質機能がアクティブ状態にあることを示す場合、前記端末が前記第２のマッピング関係の更新が必要であると確定する。
【００７５】
ここで、前記プロセッサ４１により前記プログラムを実行する場合、受信したＲＱＩ情報に基づいて、タイマーを起動する。
【００７６】
この実施例において、前記プロセッサ４１により前記プログラムを実行する場合、前記ＲＱＩが含まれるＳＤＡＰデータを受信した場合、前記タイマーが動作状態にあるかどうかに基づいて、前記第２のマッピング関係の更新が必要であるかどうかを確定する。
【００７７】
一実施例として、前記プロセッサ４１により前記プログラムを実行する場合、前記タイマーが動作状態にある場合、前記第２のマッピング関係の更新が必要でないと確定する。
【００７８】
他の実施例として、前記プロセッサ４１により前記プログラムを実行する場合、前記タイマーがタイムアウトした場合、前記第２のマッピング関係の更新が必要であると確定する。
【００７９】
一実施例として、前記プロセッサ４１により前記プログラムを実行する場合、前記タイマーがタイムアウトした後、前記第２のマッピング関係を削除する。
【００８０】
実施例四
本発明の実施例は、例えば、図５に示されるコンピュータプログラムを記憶したメモリ４２を含むコンピュータ記憶媒体をさらに提供し、上記コンピュータプログラムは、装置のプロセッサ４１によって実行されて、上記方法のステップを実現することができる。コンピュータ記憶媒体は、ＦＲＡＭ、ＲＯＭ、ＰＲＯＭ、ＥＰＲＯＭ、ＥＥＰＲＯＭ、Ｆｌａｓｈ Ｍｅｍｏｒｙ、磁気表面メモリ、光ディスク、又はＣＤ−ＲＯＭなどのメモリであってもよく、これらのメモリを１つ又は任意の組み合わせを含む種々のデバイスであってもよい。
【００８１】
この実施例において、本願の実施例に係るコンピューター記憶媒体は、コンピュータプログラムを記憶し、当該コンピュータプログラムがプロセッサにより実行される場合、ＳＤＡＰデータを受信し、前記ＳＤＡＰデータのヘッダー内のＲＱＩ情報に基づいて、更新される必要があるマッピング関係を確定し、前記マッピング関係は、第１のマッピング関係及び／又は第２のマッピング関係を含み、前記第１のマッピング関係は、第１の反射サービス品質機能に対応するＩＰストリームとＱｏＳストリームとのマッピング関係を示し、前記第２のマッピング関係は、第２の反射サービス品質機能に対応するＱｏＳストリームとＤＲＢとのマッピング関係を示す。
【００８２】
一実施例として、当該コンピュータプログラムがプロセッサにより実行される場合、前記ＳＤＡＰデータのヘッダー内のＲＱＩ情報が、前記第１の反射サービス品質機能と前記第２の反射サービス品質機能がともにアクティブ状態にあることを示す場合、前記第１のマッピング関係と前記第２のマッピング関係の更新が必要であると確定する。
【００８３】
一実施例として、当該コンピュータプログラムがプロセッサにより実行される場合、前記ＳＤＡＰデータのヘッダー内のＲＱＩ情報が、前記第１の反射サービス品質機能がアクティブ状態にあることを示す場合、前記第１のマッピング関係の更新が必要であると確定する。
【００８４】
ここで、当該コンピュータプログラムがプロセッサにより実行される場合、受信した第１のシグナリングに基づいて、前記第２の反射サービス品質機能の更新が必要であると確定する。
【００８５】
ここで、前記第１のシグナリングは、ＲＲＣシグナリングである。
【００８６】
一実施例として、当該コンピュータプログラムがプロセッサにより実行される場合、前記ＳＤＡＰデータのヘッダー内のＲＱＩ情報が、前記第２の反射サービス品質機能がアクティブ状態にあることを示す場合、前記端末が前記第２のマッピング関係の更新が必要であると確定する。
【００８７】
ここで、当該コンピュータプログラムがプロセッサにより実行される場合、受信したＲＱＩ情報に基づいて、タイマーを起動する。
【００８８】
この実施例において、当該コンピュータプログラムがプロセッサにより実行される場合、前記ＲＱＩが含まれるＳＤＡＰデータを受信した場合、前記タイマーが動作状態にあるかどうかに基づいて、前記第２のマッピング関係の更新が必要であるかどうかを確定する。
【００８９】
一実施例として、当該コンピュータプログラムがプロセッサにより実行される場合、前記タイマーが動作状態にある場合、前記第２のマッピング関係の更新が必要でないと確定する。
【００９０】
他の実施例として、当該コンピュータプログラムがプロセッサにより実行される場合、前記タイマーがタイムアウトした場合、前記第２のマッピング関係の更新が必要であると確定する。
【００９１】
一実施例として、当該コンピュータプログラムがプロセッサにより実行される場合、前記タイマーがタイムアウトした後、前記第２のマッピング関係を削除する。
【００９２】
本明細書で提供されるいくつかの実施例では、開示される端末および方法は、他の方法で実現されてもよいことが理解されるべきである。なお、以上の装置の実施例はあくまでも一例であり、例えば、装置の分割、論理的機能の分割などは、実際の実施に際しては、これら複数の装置や構成要素を組み合わせたり、他のシステムに統合したり、あるいは、一部の構成要素を省略したり、省略したりすることが可能である。さらに、図示又は説明された構成要素は、電気的、機械的、又は他の形態の、いくつかのインターフェース、装置又はユニットを介した、互いに、又は直接的に、又は通信的に、間接的な結合又は通信的な接続を有し得る。
【００９３】
上記分離手段として説明したユニットは、物理的に分離していても、あるいは分離していなくてもよく、ユニットとして表示されるユニットは、物理的ユニットであっても、あるいは物理的ユニットでなくてもよく、すなわち一箇所にあっても、複数のネットワークユニットに分散していてもよい。また、この実施例の目的を達成する手段の一部又は全部を、必要に応じて選択することができる。
【００９４】
また、本発明の各実施例における各機能部は、全てが１つの処理部に集積されていてもよいし、各部がそれぞれ単独で１つのユニットとして構成されていてもよいし、２つ以上のユニットが１つのユニットに集積されていてもよいし、上記の統合されたユニットは、ハードウェアの形態で実現されてもよいし、ハードウェア及びソフトウェア機能ユニットの形態で実現されてもよい。
【００９５】
当業者であれば、上述の方法の実施例を実現するステップの全部または一部は、プログラム命令に係るハードウェアによって実現されてもよく、また、上述のプログラムは、実行時に、上述の方法の実施例を含むステップを実行するコンピュータ読み取り可能な記憶媒体に格納されてもよく、また、上述の記憶媒体は、プログラムコードを記憶可能な、リムーバブル記憶装置、ＲＯＭ、ＲＡＭ、磁気ディスク、光ディスクなどの様々な媒体を含んでもよい。
【００９６】
あるいは、本発明の上記一体化されたユニットは、ソフトウェア機能ブロックの形で実現され、独立した製品として販売または使用される場合、１つのコンピュータ読み取り可能な記憶媒体に記憶されてもよい。このような理解に基づいて、本発明の実施例の技術的解決策の本質または従来技術に寄与する部分は、本発明の様々な実施例による方法の全てまたは一部を１つのコンピュータデバイス(パーソナルコンピュータ、サーバ、またはネットワークデバイスなどであり得る)に実行させるための複数の命令を含む１つの記憶媒体に記憶されたソフトウェア製品の形態で具現化され得る。なお、前記記憶媒体には、可搬型記憶装置、ＲＯＭ、ＲＡＭ、磁気ディスク、光ディスク等のプログラムコードを記憶可能な種々の媒体が含まれる。
【００９７】
以上、本発明の具体的な実施例について説明したが、本発明の技術的範囲はこれに限定されるものではなく、本発明が属する技術分野で通常の知識を有する者であれば、本発明の技術的範囲内で容易に変更や置換をなし得ることは自明である。したがって、本発明の保護範囲は、特許請求の範囲の保護範囲を基準とするものとする。
【手続補正２】
【補正対象書類名】特許請求の範囲
【補正対象項目名】全文
【補正方法】変更
【補正の内容】
【特許請求の範囲】
【請求項１】
端末がサービスデータ適合プロトコルＳＤＡＰデータを受信し、前記ＳＤＡＰデータのヘッダー内の反射サービス品質インジケータＲＱＩ情報に基づいて、更新される必要があるマッピング関係を確定することを含み、
前記マッピング関係は、第１のマッピング関係及び／又は第２のマッピング関係を含み、前記第１のマッピング関係は、第１の反射サービス品質機能に対応するインターネットプロトコルＩＰストリームとサービス品質ＱｏＳストリームとのマッピング関係を示し、前記第２のマッピング関係は、第２の反射サービス品質機能に対応するＱｏＳストリームとデータリソースベアラＤＲＢとのマッピング関係を示す
ことを特徴とする情報指示方法。
【請求項２】
前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第１の反射サービス品質機能と前記第２の反射サービス品質機能がともにアクティブ状態にあることを示す場合、前記端末が前記第１のマッピング関係と前記第２のマッピング関係の更新が必要であると確定することを含む
ことを特徴とする請求項１に記載の情報指示方法。
【請求項３】
前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第１の反射サービス品質機能がアクティブ状態にあることを示す場合、前記端末が前記第１のマッピング関係の更新が必要であると確定することを含む
ことを特徴とする請求項１に記載の情報指示方法。
【請求項４】
前記方法は、さらに、前記端末が受信した第１のシグナリングに基づいて、前記第２の反射サービス品質機能の更新が必要であると確定することを含む
ことを特徴とする請求項３に記載の情報指示方法。
【請求項５】
前記第１のシグナリングは、無線リソース制御ＲＲＣシグナリングである
ことを特徴とする請求項３に記載の情報指示方法。
【請求項６】
前記ＳＤＡＰデータのヘッダー内のＲＱＩ情報に基づいて、更新される必要があるマッピング関係を確定することは、
前記ＳＤＡＰデータのヘッダー内のＲＱＩ情報が、前記第２の反射サービス品質機能がアクティブ状態にあることを示す場合、前記端末が前記第２のマッピング関係の更新が必要であると確定することを含む
ことを特徴とする請求項１に記載の情報指示方法。
【請求項７】
前記方法は、さらに、
前記端末が受信したＲＱＩ情報に基づいて、タイマーを起動することを含む
ことを特徴とする請求項６に記載の情報指示方法。
【請求項８】
前記ＳＤＡＰデータのヘッダー内のＲＱＩ情報に基づいて、更新される必要があるマッピング関係を確定することは、
前記端末が、前記ＲＱＩが含まれるＳＤＡＰデータを受信した場合、前記タイマーが動作状態にあるかどうかに基づいて、前記第２のマッピング関係の更新が必要であるかどうかを確定することを含む
ことを特徴とする請求項７に記載の情報指示方法。
【請求項９】
前記タイマーが動作状態にあるかどうかに基づいて、前記第２のマッピング関係の更新が必要であるかどうかを確定することは、
前記タイマーが動作状態にある場合、前記端末が前記第２のマッピング関係の更新が必要でないと確定することを含む
ことを特徴とする請求項８に記載の情報指示方法。
【請求項１０】
前記タイマーが動作状態にあるかどうかに基づいて、前記第２のマッピング関係の更新が必要であるかどうかを確定することは、
前記タイマーがタイムアウトした場合、前記端末が前記第２のマッピング関係の更新が必要であると確定することを含む
ことを特徴とする請求項８に記載の情報指示方法。
【請求項１１】
前記方法は、さらに、
前記タイマーがタイムアウトした後、前記端末が前記第２のマッピング関係を削除することを含む
ことを特徴とする請求項１０に記載の情報指示方法。
【請求項１２】
受信ユニットと確定ユニットを含む端末であって、
前記受信ユニットは、ＳＤＡＰデータを受信するように構成され、
前記確定ユニットは、前記受信ユニットにより受信された前記ＳＤＡＰデータのヘッダー内の反射サービス品質インジケータＲＱＩ情報に基づいて、更新される必要があるマッピング関係を確定するように構成され、
前記マッピング関係は、第１のマッピング関係及び／又は第２のマッピング関係を含み、前記第１のマッピング関係は、第１の反射サービス品質機能に対応するＩＰストリームとサービス品質ＱｏＳストリームとのマッピング関係を示し、前記第２のマッピング関係は、第２の反射サービス品質機能に対応するＱｏＳストリームとデータリソースベアラＤＲＢとのマッピング関係を示す
ことを特徴とする端末。
【請求項１３】
セッサによって実行されるとき、請求項１から１１のいずれか１項に記載の情報指示方法のステップを実行するコンピュータ命令を記憶するコンピュータ記憶媒体。
【請求項１４】
データを伝送するための通信モジュールと、メモリと、プロセッサと、前記メモリに格納され、前記プロセッサ上で動作するコンピュータプログラムとを備える端末であって、
前記プロセッサが前記プログラムを実行することにより、請求項１〜１１のいずれか１項に記載の情報指示方法の各ステップが実現される端末。
【手続補正３】
【補正対象書類名】図面
【補正対象項目名】全図
【補正方法】変更
【補正の内容】
【図１】
2021500761.tif 000008
【図２】
2021500761.tif 000009
【図３】
2021500761.tif 000010
【図４】
2021500761.tif 000011
【図５】
2021500761.tif 000012
【国際調査報告】
2021500761.tif 000013
2021500761.tif 000014
2021500761.tif 000015
2021500761.tif 000016